(57)【特許請求の範囲】
【請求項１】
発光装置と、前記発光装置に発光のための電力を供給する電気回路とを備える照明器具であって、
前記発光装置及び前記電気回路を収容する器具本体と、
前記電気回路と電気的に接続され、外部からの電力を前記電気回路に供給する、外部被覆を有する電線とを備え、
前記電線の、前記電気回路との電気的な接続部分である接続部から、前記器具本体の開口部から露出した所定の長さの部分である外部配線部の終端までの間の少なくとも一ヶ所に、前記外部被覆内を介した、前記器具本体の外部から内部への水分の浸入を抑制する抑制部材が配置されており、
前記抑制部材は、前記電線を、前記外部被覆の外周から締め付ける締付部材であり、かつ、前記器具本体の内部に配置されており、
前記締付部材は、前記外部被覆の延設方向の途中の位置に配置され、当該位置において前記外部被覆を締め付けている
照明器具。
【請求項２】
発光装置と、前記発光装置に発光のための電力を供給する電気回路とを備える照明器具であって、
前記発光装置及び前記電気回路を収容する器具本体と、
前記電気回路と電気的に接続され、外部からの電力を前記電気回路に供給する、外部被覆を有する電線とを備え、
前記電線の、前記電気回路との電気的な接続部分である接続部から、前記器具本体の開口部から露出した所定の長さの部分である外部配線部の終端までの間の少なくとも一ヶ所に、前記外部被覆内を介した、前記器具本体の外部から内部への水分の浸入を抑制する抑制部材が配置されており、
前記器具本体は、前記電線が内部を通過する第一本体と、前記電気回路を収容し、かつ、前記第一本体に取り付けられた第二本体とを有し、
前記接続部及び前記抑制部材は前記第二本体の内部に配置されている
照明器具。
【請求項３】
前記抑制部材は、前記外部被覆の、前記接続部側の端部を覆うように配置されている覆い部材である
請求項２記載の照明器具。
【請求項４】
前記抑制部材は、前記電線を、前記外部被覆の外周から締め付ける締付部材である
請求項２記載の照明器具。
【請求項５】
前記抑制部材は、前記外部被覆の内部に配置された充填材である
請求項２記載の照明器具。
【請求項６】
前記電線における前記接続部は、前記開口部よりも上方に配置されている
請求項１〜５のいずれか１項に記載の照明器具。
【発明の詳細な説明】
【技術分野】
【０００１】
本発明は、照明器具に関し、特に防水性が求められる照明器具に関する。
【背景技術】
【０００２】
従来、例えば屋外に設置された照明器具によって、庭木または建物等を照らすことで、外構空間（人が居住する建物の外にある物体を含む空間）の演出が行われる場合がある。このように屋外で用いられる照明器具には、水分の浸入を防止するための構造が要求される。
【０００３】
例えば特許文献１に開示された屋外用照明装置では、電源ユニットと照明ユニットとの間に、調光電源から発光素子に供給される電流の値を調節するために用いられる、軸を中心に回転可能な有底円筒状の調光リングが配置さている。電源ユニット、照明ユニットおよび調光リングは、それぞれの円筒部の中心軸が一致するように配置され、調光リングの円筒部の前端面および後端面にリング状の溝が形成され、かつその溝にリング状の防水パッキンが収容されている。
【０００４】
特許文献１には、上記構成により、照明の明るさを調節する調光機能と共に防水機能を備えた、屋外での使用が可能な照明装置が実現される旨が記載されている。
【先行技術文献】
【特許文献】
【０００５】
【特許文献１】特開２０１５−７６３０４号公報
【発明の概要】
【発明が解決しようとする課題】
【０００６】
屋外で使用される照明器具において、器具本体に設けられた貫通孔と電線等の他の部材との隙間、及び、器具本体を構成する複数の部材間等における隙間は、上記従来の技術のように、パッキン等のシール部材で埋められる。これにより、器具本体の気密性が高められる。
【０００７】
しかしながら、器具本体の気密性が高められた場合、上記の部材間の隙間等からの水分の浸入が抑制される一方で、例えば、器具本体が膨張すること、または、外気圧が上昇すること等に起因し、器具本体の内外を連通する微小な隙間から器具本体の内部に水分が吸い込まれ、その結果、例えば、器具本体の内部に結露が生じる可能性がある。このことは、例えば、照明器具の動作不良または劣化等の不具合を生じさせる。
【０００８】
本発明は、上記従来の課題を考慮し、信頼性の高い照明器具を提供することを目的とする。
【課題を解決するための手段】
【０００９】
上記目的を達成するために、本発明の一態様に係る照明器具は、発光装置と、前記発光装置に発光のための電力を供給する電気回路とを備える照明器具であって、前記発光装置及び前記電気回路を収容する器具本体と、前記電気回路と電気的に接続され、外部からの電力を前記電気回路に供給する、外部被覆を有する電線とを備え、前記電線の、前記電気回路との電気的な接続部分である接続部から、前記器具本体の開口部から露出した所定の長さの部分である外部配線部の終端までの間の少なくとも一ヶ所に、前記外部被覆内を介した、前記器具本体の外部から内部への水分の浸入を抑制する抑制部材が配置されている
。
【発明の効果】
【００１０】
本発明の一態様に係る照明器具によれば、信頼性の高い照明器具を実現することができる。
【図面の簡単な説明】
【００１１】
【図１】実施の形態に係る照明システムの機器構成を示す図である。
【図２】実施の形態に係るスポットライトの外観を示す斜視図である。
【図３】実施の形態に係るスポットライトの内部構造の概要を示す断面図である。
【図４】実施の形態に係る抑制部材の概要を示す斜視図である。
【図５】実施の形態の変形例１に係るスポットライトの内部構造の概要を示す断面図である。
【図６】実施の形態の変形例１に係る抑制部材が器具本体の外部に配置された状態を示す図である。
【図７】実施の形態の変形例２に係る抑制部材が配置された電線の断面図である。
【図８】図７とは異なる位置に抑制部材が配置された電線の断面図である。
【発明を実施するための形態】
【００１２】
以下、実施の形態に係る照明器具について、図面を参照しながら説明する。なお、以下に説明する実施の形態及びその変形例のそれぞれは、本発明の一具体例を示すものである。したがって、以下の実施の形態及びその変形例で示される、数値、形状、材料、構成要素、構成要素の配置位置及び接続形態などは、一例であって本発明を限定する主旨ではない。よって、以下の実施の形態及びその変形例における構成要素のうち、本発明の最上位概念を示す独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
（実施の形態）
［照明システムの全体構成］
まず、本実施の形態に係る照明システムの構成について、図１を用いて説明する。
【００１５】
図１は、実施の形態に係る照明システム１０の機器構成を示す図である。なお、図１において、点線の矢印は、電力の流れを示している。
【００１６】
図１に示すように、実施の形態に係る照明システム１０は、結線ボックス１００と、電源からの電力を結線ボックス１００を介して受け取る照明器具とを備える。本実施の形態では、照明システム１０は、照明器具として、庭木に光を照射するスポットライト４００と、門柱６１０に設置された、表札を照らすための表札灯６００とを備えている。
【００１７】
結線ボックス１００は、電源から供給される電力を電気機器に中継するための器具である。本実施の形態では、結線ボックス１００は、家屋５００に備えられた、商用電源に接続された屋内配線ボックス５１０と電線によって接続されている。これにより、商用電源からの電力は、結線ボックス１００に到達し、結線ボックス１００から、スポットライト４００及び表札灯６００のそれぞれに供給される。
【００１８】
また、屋内配線ボックス５１０と結線ボックス１００とを接続する電線は、地中に埋設
された電線管３００の中に配置されており、屋内配線ボックス５１０と表札灯６００とを接続する電線は、地中に埋設された電線管３１０の中に配置されている。電線管３００及び３１０の種類に特に限定はないが、例えば、可撓性を有するＰＦ管（Ｐｌａｓｔｉｃ  Ｆｌｅｘｉｂｌｅ  ｃｏｎｄｕｉｔ）が電線管３００及び３１０として採用される。屋内配線ボックス５１０と、スポットライト４００とは、本実施の形態では、地上に配置された電線２２１によって接続されている。なお、電線２２１の少なくとも一部が、地中に埋設されていてもよい。
【００１９】
次に、実施の形態に係るスポットライト４００の構成について、図２〜図４を参照しながら説明する。
【００２０】
［スポットライトの全体構成］
図２は、実施の形態に係るスポットライト４００の外観を示す斜視図である。図３は、実施の形態に係るスポットライト４００の内部構造の概要を示す断面図である。なお、図３では、本実施の形態に係るスポットライト４００の特徴を明確にするため、例えば、発光装置４３０からの光を反射する反射部、発光装置４３０からの光を透過させるレンズ、及び、電気回路４４０を保持する保持部等の他の要素の図示は省略されている。また、電気回路４４０は、電子部品の図示を省略するなどにより簡略化されて図示されている。これらのことは、後述する図５についても同じである。
【００２１】
また、図３において示される、電線２２１の器具本体４１０に収容される長さ、および、電線２２１の器具本体４１０に収容される部分の形状のそれぞれは一例であり、図３に示される長さおよび形状に限定されない。
【００２２】
本実施の形態に係るスポットライト４００は、照明器具の一例であり、図２及び図３に示すように、発光装置４３０と、発光装置４３０に発光のための電力を供給する電気回路４４０と、発光装置４３０及び電気回路４４０を収容する器具本体４１０とを備える。
【００２３】
本実施の形態では、器具本体４１０は、スポットライト４００が地面等に設置される際のベース部分となる第一本体４１１と、発光装置４３０からの光を放出する第二本体４１２とを有する。また、器具本体４１０はさらに、第二本体４１２を、第一本体４１１に対して回動可能に取り付ける連結部４９５を有している。なお、図３では、連結部４９５は点線によって表されている。器具本体４１０の素材に特に限定はないが、アルミニウム等の金属、または、ポリブチレンテレフタレート（ＰＢＴ）等の樹脂をベース素材として形成される。
【００２４】
器具本体４１０の底面部４２０には、スパイク４９０が配置されており、スパイク４９０が地中に埋められることで器具本体４１０が地面に固定される。なお、図３では、スポットライト４００が設置される面である設置面（本実施の形態では地面）の位置を点線Ｇによって表している。
【００２５】
このように、器具本体４１０が地面に固定された場合であっても、第二本体４１２は、連結部４９５を中心に上下に回動可能である。これにより、スポットライト４００の使用者は、スポットライト４００からの照明光の照射領域を所定の範囲内で変更することができる。
【００２６】
第二本体４１２の内部には、発光装置４３０が収容されており、発光装置４３０の正面に位置する第二本体４１２の開口には、発光装置４３０からの光を透過させて放出するカバー部材４５０が配置されている。お、カバー部材４５０は、例えば集光のための凹凸等の要素を備えてもよいが、凹凸等の要素の図示及び説明は省略する。
【００２７】
［発光装置］
発光装置４３０は、スポットライト４００が照明用の光源として備える発光モジュールである。具体的には、発光装置４３０は、図３に示すように、基板４３１と、基板４３１上に設けられた発光部４３２とを有する。発光部４３２の構成に特に限定はないが、本実施の形態では、１以上の発光素子が封止部材で封止されることで構成されている。
【００２８】
発光部４３２が有する発光素子としては、例えば、青色光を放出する青色ＬＥＤチップが採用される。青色ＬＥＤチップとしては、例えばＩｎＧａＮ系の材料によって構成された、中心波長が４４０ｎｍ〜４７０ｎｍの窒化ガリウム系の半導体発光素子が用いられる。本実施の形態において、１以上の発光素子のそれぞれは、例えば透光性のダイアタッチ剤（ダイボンド剤）によって基板４３１の主面にダイボンディングされている。つまり、本実施の形態に係る発光装置４３０は、ＣＯＢ（Ｃｈｉｐ  Ｏｎ  Ｂｏａｒｄ）構造である。
【００２９】
また、基板４３１に実装された１以上の発光素子は、光の波長を変換する波長変換材を有する封止部材によって一括封止されている。本実施の形態において、封止部材は、所定の樹脂の中に、波長変換材として所定の蛍光体粒子が含有された蛍光体含有樹脂によって形成されている。なお、所定の樹脂としては、例えばシリコーン樹脂等の透光性材料が採用される。また、所定の蛍光体粒子としては、例えばＹＡＧ（イットリウム・アルミニウム・ガーネット）系の黄色蛍光体粒子が採用される。
【００３０】
この黄色蛍光体粒子は、発光素子からの青色光によって励起されると黄色光を放出する。その結果、発光装置４３０からは、当該黄色光と発光素子からの青色光とによって得られる白色光が放出される。
【００３１】
基板４３１としては、例えばセラミック基板が採用される。セラミック基板としては、酸化アルミニウム（アルミナ）からなるアルミナ基板または窒化アルミニウムからなる窒化アルミニウム基板等が採用される。
【００３２】
具体的には、アルミナ粒子を焼成させることによって構成された、例えば厚みが１ｍｍ程度の白色の多結晶アルミナ基板（多結晶セラミック基板）が基板４３１として採用される。
【００３３】
なお、セラミック基板は、例えば樹脂をベースとする樹脂基板と比べて熱伝導率が高く、発光部４３２の熱を効率よく放熱させることができる点で好ましい。また、セラミック基板は経時劣化が小さく、耐熱性にも優れているという特徴も有する。
【００３４】
なお、基板４３１の種類はセラミック基板には限定されない。例えば、樹脂基板、金属をベースとするメタルベース基板、または、ガラスからなるガラス基板等が採用される。また、メタルベース基板としては、例えば、表面に絶縁膜が形成された、アルミニウム合金基板、鉄合金基板または銅合金基板等が採用される。また、樹脂基板としては、例えば、ガラス繊維とエポキシ樹脂とからなるガラスエポキシ基板等が採用される。
【００３５】
なお、発光素子の数、発光色、発光装置４３０としての発光色、及び基板４３１の素材等は、上記説明の内容に限定されず、例えば、スポットライト４００に要求される仕様に応じて適宜決定されればよい。
【００３６】
このように構成された発光装置４３０は、図３に示すように、第二本体４１２の基台部４２３に配置されている。具体的には、第二本体４１２が金属製である場合、発光装置４
３０は、例えば絶縁部材４６０を介して第二本体４１２の基台部４２３に配置される。本実施の形態では、基台部４２３は、第二本体４１２と一体の部材であるが、発光装置４３０が配置される基台部４２３は、第二本体４１２とは別体の部材であってもよい。
【００３７】
また、本実施の形態では、図３に示すように、器具本体４１０の第二本体４１２に、電気回路４４０が収容されており、発光装置４３０は、電気回路４４０から一対のリード線４４８を介して供給される電力によって発光する。
【００３８】
例えば、スポットライト４００に交流電力が供給される場合、この交流電力は、電気回路４４０によって発光装置４３０に適した特性の直流電力に変換され、変換後の直流電力が発光装置４３０に供給される。これにより、発光装置４３０の発光部４３２が発光する。なお、電気回路４４０は、外部の電源から直流電力を受け取る場合、受け取った直流電力を、発光装置４３０に適した特性の直流電力に変換して、発光装置４３０に供給する。また、このように、発光装置４３０に発光のための電力を供給する電気回路４４０は、例えば、「駆動回路」または「電源回路」等とも呼ばれる。
【００３９】
電気回路４４０には、外部からの電力を受け取るための電線２２１の一端が接続されており、電線２２１の他端は、器具本体４１０の側壁部４２１に設けられた開口部４１５を貫通し、外部に露出して配置される。
【００４０】
［電線］
本実施の形態に係る電線２２１は、例えば、ＶＶＦケーブル（Ｖｉｎｙｌ  ｉｎｓｕｌａｔｅｄ  Ｖｉｎｙｌ  ｓｈｅａｔｈｅｄ  Ｆｌａｔ−ｔｙｐｅ  ｃａｂｌｅ）と呼ばれるケーブルである。本実施の形態では、電線２２１として２心のＶＶＦケーブルが採用されているが、ＶＶＦケーブルの心数は、３または４でもよい。
【００４１】
電線２２１は、外部被覆（シース（ｓｈｅａｔｈ））２２１ｃに覆われた第一線心２２１ａと第二線心２２１ｂとを有する。これら線心のそれぞれの、器具本体４１０内の端部は、絶縁被覆がむかれて導体がむき出しにされており、これら端部が電気回路４４０と電気的に接続される。つまり、電線２２１は、電気回路４４０との電気的な接続部分である接続部２２５を有する。
【００４２】
なお、電線２２１は、接続部２２５の他に、図３に示すように、器具本体４１０から露出した所定の長さの部分である外部配線部２２８、及び、接続部２２５と外部配線部２２８との間の部分である中間部２２６とを有している。外部配線部２２８の詳細ついては後述する。
【００４３】
電線２２１の、接続部２２５を含む一端部は、図３に示すように、第一本体４１１の壁部（側壁部４２１）に設けられた開口部４１５を貫通し、さらに、第一本体４１１の上壁部及び第二本体４１２の下壁部を貫通して配置されている。これらの、器具本体４１０における電線２２１の貫通部分のそれぞれは、例えばパッキン等のシール部材（図示せず）によって気密が維持されている。また、第二本体４１２の開口とカバー部材４５０の周縁との間には、パッキン等のシール部材（図示せず）が配置されており、これにより、当該開口における気密は維持されている。
【００４４】
また、本実施の形態に係るスポットライト４００は、電線２２１の器具本体４１０の開口部４１５から露出した長さが、例えば２ｍ程度の状態で出荷される。その後、スポットライト４００の設置時において、電線２２１の器具本体４１０から露出した部分は、接続先（本実施の形態では結線ボックス１００）までの距離等に応じた適切な長さになるように切断される。切断後に残った電線２２１の端部は、外部被覆２２１ｃの除去等の処理が
行われ、電源供給側の電線と結線される。
【００４５】
［抑制部材］
本実施の形態に係るスポットライト４００は、上述のように、器具本体４１０の気密性が高められており、これにより、スポットライト４００の外部の雨水等に対する防水性が向上されている。しかしながらその一方で、器具本体４１０には、気密性の高さを一因とする呼吸作用が生じ得る。具体的には、環境温度の変化もしくは発光装置４３０の発熱等に起因して、気密性の高い器具本体４１０が膨張すること、または、外気圧が上昇すること等によって、器具本体４１０の内圧が外気圧よりも低くなる場合がある。このような場合、器具本体４１０の内外の圧力差は、器具本体４１０の内部と外部を連通する微小な隙間から、器具本体４１０の内部に水分（液体の水または気化した水）が吸い込むよう作用する。
【００４６】
また、器具本体４１０の内外を接続する電線２２１は、上述のように、複数の線心（本実施の形態では第一線心２２１ａ及び第二線心２２１ｂ）を外部被覆２２１ｃで覆う構造を有しており、これら構成要素間を完全に埋める部材は存在しない。そのため、電線２２１の内部には、第一線心２２１ａと第二線心２２１ｂとの間、及び、第一線心２２１ａもしくは第二線心２２１ｂと外部被覆２２１ｃとの間などに微小な隙間が存在する場合がある。つまり、電線２２１には、長手方向に連なる微小な隙間が存在する場合がある。この場合、電線２２１の内部には、水分が電線２２１の一端から他端へ到達可能なパスが形成されていることになる。
【００４７】
すなわち、電線２２１について何ら対策を講じない場合、電線２２１の内部に形成されたパスを介して、器具本体４１０の外部の水分が器具本体４１０の内部に浸入することが考えられる。この現象は、上述のように、気密性の高い器具本体４１０の内圧が外気圧よりも低くなった場合に顕著となると考えられる。
【００４８】
そこで、本実施の形態に係るスポットライト４００は、電線２２１の、電気回路４４０との電気的な接続部分である接続部２２５から、器具本体４１０の開口部４１５から露出した所定の長さの部分である外部配線部２２８の終端Ｅ（図３参照）までの間の少なくとも一ヶ所に配置された抑制部材４７０を備える。抑制部材４７０は、外部被覆２２１ｃ内を介した、器具本体４１０の外部から内部への水分の浸入を抑制する。
【００４９】
この構成によれば、例えば、仮に、電線２２１の器具本体４１０の外部に露出した部分の端部から水分が浸入した場合であっても、その水分が電線２２１の内部のパスを介して器具本体４１０の内部に到達することは困難である。これにより、器具本体４１０の内部に水分が浸入することによる不具合の発生は抑制される。従って、本実施の形態に係るスポットライト４００は、信頼性の高い照明器具である。
【００５０】
本実施の形態では、具体的には、抑制部材４７０は、図４に示すように、外部被覆２２１ｃの、接続部２２５側の端部２２１ｄを覆うように配置されている覆い部材によって実現されている。
【００５１】
図４は、実施の形態に係る抑制部材４７０の概要を示す斜視図である。図４に示すように、覆い部材である抑制部材４７０は、例えば熱収縮チューブである。
【００５２】
具体的には、熱収縮チューブの中に、外部被覆２２１ｃの端部２２１ｄが配置された状態で熱収縮チューブが加熱される。これにより、熱収縮チューブは収縮し、外部被覆２２１ｃの端部２２１ｄ、並びに、第一線心２２１ａ及び第二線心２２１ｂの一部に密着する。その結果、外部被覆２２１ｃの端部２２１ｄ近傍に存在する隙間が実質的に閉塞される
。すなわち、電線２２１内に形成された水分のパスの出口が、抑制部材４７０によって実質的に塞がれる。
【００５３】
従って、仮に、電線２２１内において、外部被覆２２１ｃの端部２２１ｄの近くまで水分が移動してきた場合であっても、端部２２１ｄからの水分の漏出が抑制される。また、器具本体４１０の内圧の変化が外部被覆２２１ｃの内部に与える影響が低減される。つまり、気密性が高い器具本体４１０（より詳細には、第二本体４１２）における呼吸作用によって、電線２２１が器具本体４１０の外部の端部から水分を吸い込むこと、または、電線２２１の内部に浸入した水分が器具本体４１０の内部に吸い出されることが抑制される。
【００５４】
なお、上記効果を奏する覆い部材としては、熱収縮チューブの他に、例えば、樹脂製の基材にブチルゴム系粘着剤が塗布された防水テープなどが例示される。また、例えば、外部被覆２２１ｃの接続部２２５側の端部２２１ｄに、樹脂製の接着剤を塗布して硬化させることで、覆い部材が実現されてもよい。
【００５５】
また、本実施の形態では、器具本体４１０は、スポットライト４００が設置面に設置される場合に当該設置面に当接する底面部４２０を有し、開口部４１５は、底面部４２０から所定の高さに形成されている（図３参照）。また、外部配線部２２８は、スポットライト４００が設置面に設置された場合において、電線２２１の、開口部４１５から設置面と接触する位置までの部分である。つまり、外部配線部２２８は、図３における、電線２２１の、開口部４１５から、設置面の位置を示す点線Ｇに接触する位置（外部配線部２２８の終端Ｅ）までの部分である。
【００５６】
例えば、電線２２１の外径が約１ｃｍであり、開口部４１５の底面部４２０からの高さ（図３における点線Ｇから、開口部４１５の下端までの距離）を約２ｃｍとする場合、外部配線部２２８の長さは４ｃｍ〜１０ｃｍ程度である。つまり、開口部４１５の高さをＨとした場合、外部配線部２２８の長さは、２Ｈ〜５Ｈ程度である。
【００５７】
ここで、電線２２１の、器具本体４１０から露出した部分は、上述のように、スポットライト４００の設置時に、適切な長さとなるように切断される場合がある。また、電線２２１が切断された場合に、残った部分の端部を電力供給側の電線と結線する際、一般に、外部被覆２２１ｃを所定の長さだけ除去する必要がある。
【００５８】
上記事情を考慮すると、外部配線部２２８は、電力供給を受けるために器具本体４１０から露出した部分であって、かつ、切断されない蓋然性が高い部分である。従って、電線２２１の、接続部２２５から外部配線部２２８の終端Ｅまでの間のいずれかの位置に、抑制部材４７０が配置されている場合、電線２２１が長さ調節のための切断された場合であっても抑制部材４７０が残存する可能性は高い。つまり、外部被覆２２１ｃ内を介した水分の浸入を抑制する抑制部材４７０の実効性が、実質的に保証される。
【００５９】
なお、外部配線部２２８は、切断されない（切断位置として選択されない）蓋然性が高い部分として規定されればよく、上述のように、電線２２１の設置面との接触位置を用いて規定されるほか、例えば、電線２２１の外径等を用いて規定することも可能である。例えば、外部配線部２２８は、開口部４１５から、外径の１０倍までの長さの部分である、と規定されてもよい。また、本実施の形態では、電線２２１は、外部配線部２２８よりも先の部分（図３における外部配線部２２８の終端Ｅよりも右の部分）である、電源側配線部２２９を有しているが、電源側配線部２２９の長さに特に限定はない。
【００６０】
また、本実施の形態では、例えば図３に示されるように、電線２２１における接続部２
２５は、開口部４１５よりも上方に配置されている。つまり、電線２２１の、器具本体４１０の内部に位置する部分の少なくとも一部は、開口部４１５から接続部２２５に向けて、水平方向に対して傾いた姿勢で配置される。
【００６１】
すなわち、電線２２１の、器具本体４１０の外部に配置された端部から水分が浸入した場合、その水分が接続部２２５に到達するまでの間に、電線２２１の内部のパスには必ず上り坂が存在する。このことは、器具本体４１０の内部への水分の浸入の阻害要素となる。従って、接続部２２５が開口部４１５よりも上方に位置することにより、外部被覆２２１ｃ内を介した器具本体４１０の内部への水分の浸入抑制効果は向上される。
【００６２】
また、外部被覆２２１ｃの接続部２２５側の端部２２１ｄ以外に抑制部材を配置する場合、図４に示す抑制部材４７０（覆い部材）とは異なる態様の抑制部材を電線２２１に配置することで、電線２２１の内部を介した水分の浸入を抑制することができる。
【００６３】
そこで、実施の形態の変形例として、上記の抑制部材４７０とは異なる態様で電線２２１内を介した水分の浸入を抑制する抑制部材について、上記実施の形態との差分を中心に説明する。
【００６４】
（変形例１）
図５は、実施の形態の変形例１に係るスポットライト４０１の内部構造の概要を示す断面図である。図６は、実施の形態の変形例１に係る抑制部材４７１が器具本体４１０の外部に配置された状態を示す図である。
【００６５】
図５に示す変形例１に係るスポットライト４０１は、上記実施の形態に係るスポットライト４００と、基本的な構造において共通している。しかし、変形例１に係るスポットライト４０１は、抑制部材４７１が、電線２２１を、外部被覆２２１ｃの外周から締め付ける締付部材によって実現されている点に特徴を有する。
【００６６】
具体的には、図５では、電線２２１の接続部２２５と外部配線部２２８との間の部分である中間部２２６に、抑制部材４７１が配置されている。なお、締付部材である抑制部材４７１の具体例としては結束バンドが例示される。また、抑制部材４７１の他の例としては、電線２２１を締め付けるように巻かれた針金、加熱されて収縮することで電線２２１を締め付ける熱収縮チューブ等が挙げられる。
【００６７】
また、器具本体４１０が有する開口部４１５の周縁部が電線２２１を締め付けることで、締付部材である抑制部材４７１が実現されてもよい。つまり、器具本体４１０の開口部４１５を形成する部分が、抑制部材４７１として機能してもよい。
【００６８】
このように、抑制部材４７１が、電線２２１を、外部被覆２２１ｃの外周から締め付けることで、電線２２１の内部における、第一線心２２１ａ及び第二線心２２１ｂと外部被覆２２１ｃとの間等に存在する隙間が狭まる。これにより、外部被覆２２１ｃ内における、電線２２１の長手方向の水分の移動が抑制される。すなわち、器具本体４１０の外部から内部への水分の浸入が抑制され、器具本体４１０の内部に水分が浸入することによる不具合の発生は抑制される。
【００６９】
ここで、上記実施の形態に係る抑制部材４７０、及び、本変形例に係る抑制部材４７１は、ともに、器具本体４１０の内部に配置されている。そのため、スポットライト４００（４０１）を庭の地面等に設置する際に、電線２２１が、抑制部材４７０（４７１）よりも接続部２２５に近い位置で切断されることはない。つまり、電線２２１の長さ調整のために切断される可能性がある電線２２１を備えるスポットライト４００（４０１）におい
て、電線２２１に配置された抑制部材４７０（４７１）の実効性がより確実に保証される。
【００７０】
また、上述のように、外部配線部２２８は、電力供給を受けるために器具本体４１０から露出した部分であるが、切断されない蓋然性が高い部分である。そのため、図６に示すように、外部配線部２２８に、締付部材として実現される抑制部材４７１が配置されてもよい。
【００７１】
外部配線部２２８に抑制部材４７１を配置する場合、例えば、スポットライト４０１の製造後の確認作業において、抑制部材４７１が配置されているか否か、または、抑制部材４７１が適切な姿勢で配置されているか等を目視で確認することができる。また、スポットライト４０１を設置する作業者は、抑制部材４７１が視認できることで、電線２２１の切断位置として選択可能な範囲を容易に確認することができる。
【００７２】
（変形例２）
図７は、実施の形態の変形例２に係る抑制部材４７２が配置された電線２２１の断面図である。図８は、図７とは異なる位置に抑制部材４７２が配置された電線２２１の断面図である。なお、図７及び図８のそれぞれは、電線２２１の、長手方向に平行な平面で切断した場合の断面が図示されており、第一線心２２１ａ及び第二線心２２１ｂについては、断面ではなく側面が図示されている。
【００７３】
図７及び図８に示す、実施の形態の変形例２に係る抑制部材４７２は、外部被覆２２１ｃの内部に配置された充填材によって実現されている。
【００７４】
具体的には、図７に示す抑制部材４７２は、外部被覆２２１ｃの端部２２１ｄから外部被覆２２１ｃの内部に充填された充填材によって実現されている。これにより、抑制部材４７２は、上記実施の形態に係る抑制部材４７０と同じく、外部被覆２２１ｃ内に形成された水分のパスの出口を実質的に塞ぐことができる。その結果、器具本体４１０の外部から内部への水分の浸入が抑制され、器具本体４１０の内部に水分が浸入することによる不具合の発生は抑制される。
【００７５】
また、図８に示す抑制部材４７２は、電線２２１の、中間部２２６または外部配線部２２８のいずれかの位置において、外部被覆２２１ｃの内部に充填された充填材によって実現されている。
【００７６】
つまり、電線２２１の、中間部２２６または外部配線部２２８のいずれかの位置において、外部被覆２２１ｃ内に形成された水分のパスを断つように、抑制部材４７２が配置されている。これにより、器具本体４１０の外部から内部への水分の浸入が抑制され、器具本体４１０の内部に水分が浸入することによる不具合の発生は抑制される。
【００７７】
なお、上記効果を奏する充填材としては、例えば、シリコーン系またはポリウレタン系などの樹脂を主成分とする接着剤が例示される。このような充填材は、硬化前には流動性を有しており、外部被覆２２１ｃの内側に充填された後に硬化する。
【００７８】
また、図８のように、充填材を電線２２１の端部以外の位置に配置する場合、例えば、注射針のような細管を外部被覆２２１ｃに刺して、充填材を注入する手法が採用される。この場合、外部被覆２２１ｃに、細管が刺されることより孔が生じるが、当該孔は、例えば防水テープ等によって塞がれる。または、硬化した充填材によって当該孔が塞がれる。そのため、例えば、抑制部材４７２が、外部配線部２２８に設けられる場合であっても、当該孔から外部被覆２２１ｃの内部への水分の浸入は抑制される。
【００７９】
また、充填材としての抑制部材４７２は、実際に「充填する」という作業を伴う必要はない。例えば、電線２２１の製造工程の途中において、外部被覆２２１ｃの内側に充填材を配置することで、外部被覆２２１ｃの内部に充填された状態の抑制部材４７２が形成されてもよい。
【００８０】
（他の実施の形態）
以上、本発明に係る照明器具について、上記実施の形態及び変形例に基づいて説明したが、本発明は、上記の実施の形態及び変形例に限定されるものではない。
【００８１】
例えば、上記実施の形態及び変形例において、抑制部材を備える照明器具として、スポットライト４００（４０１）を例示したが、抑制部材を備える照明器具の種類に特に限定はない。例えば屋外、もしくは、屋内の風呂またはプールの近傍で使用される照明器具などの、防水性を求められる照明器具であれば、抑制部材を備えることによる、照明器具の信頼性の向上効果を得ることは可能である。
【００８２】
また、１つのスポットライト４００が、複数の抑制部材を備えてもよい。例えば、図３に示す、抑制部材４７０を備えるスポットライト４００がさらに、図５に示す抑制部材４７１と図６に示す抑制部材４７１とを備えてもよい。スポットライト４００が、電線２２１の長手方向の互いに異なる位置に配置された複数の抑制部材を備えることで、外部被覆２２１ｃ内を介した器具本体４１０内部への水分の浸入抑制効果がさらに向上される。
【００８３】
また、スポットライト４００（４０１）において、電気回路４４０は、第二本体４１２ではなく、第一本体４１１に収容されていてもよい。また、器具本体４１０は、第一本体４１１と第二本体４１２とを有しているが、器具本体４１０は、例えば、単一の筐体によって構成されてもよい。つまり、器具本体４１０を構成する１つの筐体に、発光装置４３０と電気回路４４０とが収容されてもよい。いずれの場合であっても、電線２２１に抑制部材４７０（４７１、４７２）が配置されることによる、器具本体４１０の内部への水の浸入抑制効果は発揮される。
【００８４】
また、発光装置４３０の発光部４３２が有する発光素子は、ＬＥＤチップそのものでなくてもよい。発光素子は、例えば、上面が開口したパッケージと、パッケージ内に配置されたＬＥＤチップとを備えるＳＭＤ（Ｓｕｒｆａｃｅ  Ｍｏｕｎｔ  Ｄｅｖｉｃｅ）型ＬＥＤ素子であってもよい。
【００８５】
また、発光素子はＬＥＤ素子には限定されない。半導体レーザなどの半導体発光素子、有機ＥＬ（Ｅｌｅｃｔｒｏ  Ｌｕｍｉｎｅｓｃｅｎｃｅ）または無機ＥＬなどの発光素子が発光部４３２に備えられてもよい。
【００８６】
その他、上記実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【００８７】
２２１  電線
２２１ａ  第一線心
２２１ｂ  第二線心
２２１ｃ  外部被覆
２２１ｄ  端部
２２５  接続部
２２８  外部配線部
４００、４０１  スポットライト
４１０  器具本体
４１５  開口部
４２０  底面部
４３０  発光装置
４４０  電気回路
４７０、４７１、４７２  抑制部材
【図１】
0006660580.tif 000002
【図２】
0006660580.tif 000003
【図３】
0006660580.tif 000004
【図４】
0006660580.tif 000005
【図５】
0006660580.tif 000006
【図６】
0006660580.tif 000007
【図７】
0006660580.tif 000008
【図８】
0006660580.tif 000009